(57)【特許請求の範囲】
【請求項１】
電圧源装置へ電流信号を提供するように配置される一つの電流源装置と、
電流源装置に接続され、複数の電圧源を含み、電流源装置からの電流信号を電圧信号に変換するように配置される電圧源装置と、
電圧源装置に接続され、複数の電圧源からの電圧信号から一つの電圧信号を出力電圧信号として選択するように配置される電圧選択装置とを含み、
前記電圧源及びそれに接続される電圧選択装置におけるスイッチが遮断状態にある場合、前記電圧源の出力電圧が前記電圧源におけるコンデンサより維持される、電源。
【請求項２】
前記電流源装置が、第一入力電源、第一スイッチ、第二スイッチと第一インダクタを含み、その中、
前記第一入力電源の陰極が接地し、陽極が前記第一スイッチの一端に接続され、
前記第一スイッチのもう一端が前記第二スイッチと前記第一インダクタに接続され、且つ
前記第二スイッチが接地し、
前記第一インダクタのもう一端が前記電流源装置の出力端である、
請求項１に記載の電源。
【請求項３】
前記電流源装置が、分離回路をさらに含み、前記分離回路がフォワード回路、フライバック回路、ブリッジ回路、プッシュプル回路の一つを含み、前記分離回路における分離部品がトランスフォーマーである、
請求項２に記載の電源。
【請求項４】
前記電流源装置が、第三スイッチをさらに含み、その中、
前記トランスフォーマーの一次側の一端が前記第一入力電源の陽極に接続され、もう一端が前記第三スイッチの一端に接続され、前記第三スイッチのもう一端が前記第一入力電源の陰極に接続され、
前記トランスフォーマーの二次側の一端が前記第一スイッチに接続され、もう一端が前記第二スイッチの接地する一端に接続される、
請求項３に記載の電源。
【請求項５】
前記電流源装置が、第二入力電源、第二インダクタと第四スイッチを含み、その中、
前記第二入力電源の陰極が接地し、陽極が前記第二インダクタの一端に接続されて、
前記インダクタのもう一端が前記電流源装置の出力端であって、且つ前記第四スイッチの一端に接続され、前記第四スイッチのもう一端が接地する、
請求項１に記載の電源。
【請求項６】
前記電圧源が、第六スイッチとコンデンサを含み、前記第六スイッチの一端は前記電流源装置に接続され、もう一端は前記電圧源の出力端であって前記コンデンサの一端に接続され、前記コンデンサのもう一端は接地する、
請求項１〜５のいずれか一項に記載の電源。
【請求項７】
前記電圧選択装置が、それぞれ前記電圧源装置における複数の電圧源に接続される複数のスイッチを含む、
請求項１〜５のいずれか一項に記載の電源。
【請求項８】
スイッチがトランジスタ、金属酸化膜半導体ＭＯＳチューブ、ダイオード、接合型電界効果トランジスタＪＦＥＴチューブの少なくとも一つを含む、
請求項２〜５のいずれか一項に記載の電源。
【請求項９】
請求項１〜８のいずれか一項に記載の電源を用いる電源電圧調整方法であって、
一つの電流源装置が電圧源装置へ電流信号を入力することと、
前記電圧源装置における複数の電圧源がそれぞれ前記電流信号を電圧信号に変換することと、
電圧選択装置が複数の電圧信号から一つの電圧信号を出力電圧信号として選択することと、
前記電圧源及びそれに接続される電圧選択装置におけるスイッチが遮断状態にある場合、前記電圧源の出力電圧が前記電圧源におけるコンデンサより維持されることと、を含む、前記方法。
【請求項１０】
前記電圧選択装置が複数の電圧信号から一つの電圧信号を出力電圧信号として選択することが、
前記電圧選択装置が異なるスイッチをオンにすることにより、異なる電圧幅値を得て、出力電圧信号とすることを含む、
請求項９に記載の方法。
【請求項１１】
前記電圧選択装置が異なるスイッチをオンにすることにより、異なる電圧幅値を得ることが、
前記電圧選択装置におけるオンになるスイッチに接続された電圧源でのスイッチをオンにし、前記電圧源におけるコンデンサと前記電流源装置が直流安定化電源を構成して、前記電圧源の出力の負荷を付ける場合の安定化電圧を維持することを含む、
請求項１０に記載の方法。
【請求項１２】
前記電流源装置が電圧源装置へ電流信号を入力することが、
前記電流源装置における入力電源を制御してインダクタを充電することと、
前記電圧源におけるスイッチがオンになる場合、前記インダクタの電流が前記電圧源におけるコンデンサを充電することとを含む、
請求項９に記載の方法。
【発明の詳細な説明】
【技術分野】
【０００１】
本発明は、通信分野に関し、具体的に、電源及び電源電圧調整方法に関する。
【背景技術】
【０００２】
電子装置において、エネルギー消費量を最大限に削減するために、多種類の場合で電源が高速電圧調整機能を備えることが要求され、例えば、中央演算処理装置（Ｃｅｎｔｒａｌ Ｐｒｏｃｅｓｓｉｎｇ Ｕｎｉｔ、ＣＰＵと略称される）の給電電源、無線周波数パワーアンプの給電電源などであって、その中、無線周波数パワーアンプの給電装置がより典型的である。
【０００３】
ユーザーの帯域幅に対する増大する需要に対応するために、通信システムの変調方式がますます複雑になっており、無線周波数パワーアンプの効率が低下するという著しい問題が発生してしまい、これは通信システム全体の効率を向上させるボトルネックになっている。線形パワーアンプに対して 、その線形性を保証するために、給電電圧は無線周波数信号ピーク電圧より高いものである必要がある。従来の直流給電方式において、電源出力電圧はパワーアンプに出力される最大パワーに従って設計されていたため、パワーアンプの出力パワーが比較的低い場合に、パワーアンプの効率が低下し、電気エネルギーの無駄が重大になってしまう。そのため、パワーアンプの損失を削減させることは、通信システムの省エネ・排出削減の鍵になる。
【０００４】
関連技術において、異なる出力パワーでのパワーアンプの効率を向上させるために、通常、給電電源の電圧に対して対応する調整を行う方式を用い、即ち、パワーアンプの出力パワーが大きい際により高い給電電圧を用い、パワーアンプの出力パワーが小さい際により低い給電電圧を用いる。従来の電源技術の電圧調整速度はより低いので、現在のところパワーアンプ電圧調整給電技術は、より長い時間以内の出力パワー変化状況だけに適用し、例えば、昼間において通信サービスが忙しい場合、パワーアンプの出力パワーは最大に近づいて、より高い電圧を用いて給電し、深夜においてサービス量がより小さい場合、パワーアンプ出力パワーはより低く、より低い電圧を用いて給電する。従来の電源技術の電圧調整速度に制限されて、上記スキームには、パワーアンプの効率向上に対して限界がある。
【０００５】
パワーアンプの効率をさらに向上させるために、電源の電圧調整速度をさらに向上させる必要がある。図１は関連技術に係る従来の電源の構造模式図である。図１に示すように、この電源は、典型的なスイッチ型電源であって、スイッチ型電源は、そのパワー半導体部品がオン、オフ状態だけで動作するため、損失が低く、効率が高い利点を備える。その動作原理は、スイッチ１０２とスイッチ１０３の相補的なオンにより、入力電源１０１に対してチョッピングを行って、チョッパーパルス信号の幅に従って、後続のインダクタ１０４、コンデンサ１０５によりフィルタリングして異なる出力電圧を得る。しかしながら、インダクタとコンデンサの低周波数フィルタリング作用に制限され、このような電源電圧調整速度はより遅い。
【０００６】
この電源の電圧調整速度を向上させるためには、チョッパー周波数を向上させる必要がある。この時にスイッチ部品１０２とスイッチ部品１０３のスイッチ損失がそれに伴って増大する。そのほかに、電圧を調整する時にコンデンサ１０５を充放電する必要があるため、より高い電圧調整速度がより大きい充放電電流を必要とし、これによりオン損失がそれに伴って増大し、電源変換効率もそれに伴って低下してしまい、そのため、図１に示す電源が高速電圧調整応用に適用しない。
【０００７】
図２は関連技術に係る高速電圧調整可能な電源の構造模式図であって、図２に示すように、複数の独立した入力電源２０１、２０２、２０３に対してストローブ出力する方式を用いて高速電圧調整を行って、即ち、スイッチ２０４がオンになる場合、入力電源２０１を出力電圧（即ち、電源全体の出力電圧がＶ１である）にストローブし、スイッチ２０５がオンになる場合、入力電源２０２（即ち、電源全体の出力電圧がＶ２である）をストローブし、スイッチ２０６がオンになる場合、入力電源２０３（即ち、電源全体の出力電圧がＶ３である）をストローブし、電圧調整が出力コンデンサを充放電する必要がないので、電圧調整の速度と効率を向上させるが、複数の独立した入力電源が必要であり、且つ通常の状況で個々の独立した入力電源２０１、２０２、２０３が少なくとも図１に示す一組の二つのスイッチ部品、一つのインダクタ、一つのコンデンサなどを含むので、電源の体積がより大きく、コストがより高く、効率がより低い問題が存在する。
【発明の概要】
【０００８】
本発明の実施形態は、電源及び電源電圧調整方法を提供して、関連技術において、電圧調整電源の電圧調整速度がより低く、効率より低い問題を少なくとも解決する。
【０００９】
本発明の実施形態の一態様に係る電源装置は、電圧源装置へ電流信号を提供するように配置される電流源装置と、電流源装置に接続され、複数の電圧源を含み、電流源装置からの電流信号を電圧信号に変換するように配置される電圧源装置と、電圧源装置に接続され、複数の電圧源からの電圧信号から一つの電圧信号を出力電圧信として選択するように配置される電圧選択装置とを含む。
【００１０】
好ましくは、前記電流源装置は、第一入力電源、第一スイッチ、第二スイッチと第一インダクタを含み、その中、第一入力電源の陰極が接地し、陽極が第一スイッチの一端に接続され、第一スイッチのもう一端が第二スイッチと第一インダクタに接続され、且つ第二スイッチが接地して、第一インダクタのもう一端が電流源装置の出力端である。
【００１１】
好ましくは、前記電流源装置は、分離回路をさらに含み、分離回路がフォワード回路、フライバック回路、ブリッジ回路、プッシュプル回路の一つを含み、分離回路における分離部品がトランスフォーマーであってよい。
【００１２】
好ましくは、前記電流源装置は、第三スイッチをさらに含み、その中、トランスフォーマーの一次側の一端が第一入力電源の陽極に接続され、もう一端が第三スイッチの一端に接続され、第三スイッチのもう一端が第一入力電源の陰極に接続され、トランスフォーマーの二次側の一端が第一スイッチに接続され、もう一端が第二スイッチの接地する一端に接続される。
【００１３】
好ましくは、前記電流源装置は、第二入力電源、第二インダクタと第四スイッチを含み、その中、第二入力電源の陰極が接地し、陽極が第二インダクタの一端に接続され、インダクタのもう一端が電流源装置の出力端であって、第四スイッチの一端に接続され、第四スイッチのもう一端が接地する。
【００１４】
好ましくは、前記電流源装置は、第三入力電源、分離回路と第五スイッチを含み、その中、分離回路がフォワード回路、フライバック回路、ブリッジ回路、プッシュプル回路の一つを含み、分離回路における分離部品がトランスフォーマーである。
【００１５】
好ましくは、第三入力電源の陰極が接地し、陽極がトランスフォーマーの一次側の一端に接続され、一次側のもう一端が第五スイッチの一端に接続され、第五スイッチのもう一端が第三入力電源の陰極に接続され、トランスフォーマーの二次側の一端が電流源装置の出力端であって、もう一端が接地する。
【００１６】
好ましくは、前記電圧源は、第六スイッチとコンデンサを含み、その中、第六スイッチの一端が電流源装置に接続され、もう一端が電圧源の出力端であって、且つコンデンサの一端に接続され、コンデンサのもう一端が接地する。
【００１７】
好ましくは、前記電圧選択装置は、複数のスイッチを含み、それぞれ電圧源装置における複数の電圧源に接続される。
【００１８】
好ましくは、前記スイッチは、トランジスタ、金属酸化膜半導体（Ｍｅｔａｌ-Ｏｘｉｄｅ-Ｓｅｍｉｃｏｎｄｕｃｔｏｒ、ＭＯＳと略称される）チューブ、ダイオード、接合型電界効果トランジスタ（Ｊｕｎｃｔｉｏｎ Ｆｉｅｌｄ Ｅｆｆｅｃｔ Ｔｒａｎｓｉｓｔｏｒ、ＪＦＥＴと略称される）の少なくとも一つを含む。
【００１９】
本発明の実施形態の別の態様に係る上記のいずれかの電源を用いる電源電圧調整方法は、電流源装置が電圧源装置へ電流信号を入力することと、電圧源装置における複数の電圧源がそれぞれ電流信号を電圧信号に変換することと、電圧選択装置が複数の電圧信号から一つの電圧信号を出力電圧信号として選択することとを含む。
【００２０】
好ましくは、電圧選択装置が複数の電圧信号から一つの電圧信号を出力電圧信号として選択することは、電圧選択装置が異なるスイッチをオンにすることにより、異なる電圧幅値を得て、出力電圧信号とすることを含む。
【００２１】
好ましくは、電圧選択装置が異なるスイッチをオンにすることにより、異なる電圧幅値を得ることは、電圧選択装置におけるオンになるスイッチに接続された電圧源でのスイッチをオンにし、電圧源におけるコンデンサと電流源装置が直流安定電源を構成して、電圧源の出力の負荷を付ける場合の安定電圧を維持することを含む。
【００２２】
好ましくは、電流源装置が電圧源装置へ電流信号を入力することは、電流源装置における入力電源を制御してインダクタを充電し、電圧源におけるスイッチがオンになる場合、インダクタの電流が電圧源におけるコンデンサを充電することを含む。
【００２３】
好ましくは、電圧源及びそれに接続される電圧選択装置におけるスイッチが遮断状態にある場合、電圧源の出力電圧が電圧源におけるコンデンサより維持される。
【００２４】
本発明の実施形態により、一つの電流源装置を利用してそれぞれ電圧源装置における複数の電圧源へ給電して、各電圧源の出力電圧（Ｖ１〜ＶＮ）の安定を維持し、電圧選択装置が実際の電圧調整需要に従って、その中の一つの電圧源の出力を最終的な出力電圧（Ｖｏｕｔ）として選択して、多入力電源の構造を大幅に簡略化でき、さらに電源体積を削減させ、コストを低減させ、効率を向上させる。
【図面の簡単な説明】
【００２５】
【図１】関連技術に係る従来の電源の構造模式図である。
【図２】関連技術に係る高速電圧調整可能な電源の構造模式図である。
【図３】本発明の実施形態に係る電源の構造模式図である。
【図４】本発明の好ましい実施形態一に係る電源の構造模式図である。
【図５】本発明の好ましい実施形態一に係る波形模式図である。
【図６】本発明の好ましい実施形態一に係る図４に対応する分離機能を備える電源の構造模式図である。
【図７】本発明の好ましい実施形態二に係る電源の構造模式図である。
【図８】本発明の好ましい実施形態二に係る図７に対応する分離機能を備える電源の構造模式図である。
【図９】本発明の実施形態に係る電源及び電源電圧調整方法のフローチャートである。
【００２６】
発明を実施するための形態
矛盾しない限り、本発明の実施形態及実施形態における特徴が互いに組み合わせられることができると説明すべきである。以下で、図面を参考にして実施形態とともに本発明を詳細に説明する。
【００２７】
本発明の実施形態は、電源を提供して、図３は本発明の実施形態に係る電源の構造模式図であって、図３に示すように、この電源は、電流源装置３２、電圧源装置３４と電圧選択装置３６を含む。以下で、それの構造を詳細に説明する。
【００２８】
電流源装置３２は、電圧源装置３４へ電流信号を提供するように配置され、電圧源装置３４は、電流源装置３２に接続され、複数の電圧源３４２を含み、電流源装置３２からの電流信号を電圧信号に変換するように配置され、電圧選択装置３６は、電圧源装置３４に接続され、複数の電圧源３４２からの電圧信号から一つの電圧信号を出力電圧信号として選択するように配置される。
【００２９】
関連技術において、電圧調整電源は電圧調整速度が低く、効率がより低い。本発明の実施形態の一態様において、電流源装置を利用してそれぞれ電圧源装置における複数の電圧源へ給電して、各電圧源の出力電圧（Ｖ１〜ＶＮ）の安定を維持して、電圧選択装置が実際の電圧調整需要に従ってその中の一つの電圧源の出力を最終的な出力電圧（Ｖｏｕｔ）に選択して、多入力電源の構造を大幅に簡略化でき、さらに電源体積を削減させ、コストを低減させ、効率を向上させる。
【００３０】
前記電流源装置３２は、少なくとも下記の２つの実現方式を持つことができる。
（１）電流源装置３２は、第一入力電源、第一スイッチ、第二スイッチと第一インダクタを含み、その中、第一入力電源の陰極が接地し、陽極が第一スイッチの一端に接続され、第一スイッチのもう一端が第二スイッチと第一インダクタに接続され、且つ第二スイッチが接地し、第一インダクタのもう一端がこの電流源装置３２の出力端である。
【００３１】
好ましくは、前記第一入力電源、第一スイッチ、第二スイッチと第一インダクタ以外に、電流源装置３２は、分離機能、即ち、出力電圧と入力電源の参考接地が異なることを実現することに用いられる分離回路をさらに含むことができる。前記分離回路は、フォワード回路、フライバック回路、ブリッジ回路、プッシュプル回路の一つを含むが、それに制限されなく、分離回路における分離部品がトランスフォーマーである。
【００３２】
以下、トランスフォーマーを例にして説明して、分離機能を実現するために、電流源装置３２は、トランスフォーマーと第三スイッチをさらに含み、その中、トランスフォーマーの一次側の一端が第一入力電源の陽極に接続され、もう一端が第三スイッチの一端に接続され、第三スイッチのもう一端が第一入力電源の陰極に接続され、トランスフォーマーの二次側の一端が第一スイッチに接続され、もう一端が第二スイッチの接地する一端に接続される。
【００３３】
（２）電流源装置３２は、第二入力電源、第二インダクタと第四スイッチを含み、その中、第二入力電源の陰極が接地し、陽極が第二インダクタの一端に接続され、インダクタのもう一端が電流源装置３２の出力端であって、第四スイッチの一端に接続され、第四スイッチのもう一端が接地する。
【００３４】
この実現方式において、分離機能を実現するために、電流源装置３２は、第三入力電源、分離回路と第五スイッチをさらに含み、その中、分離回路は、これに限定されるものではないが、フォワード回路、フライバック回路、ブリッジ回路、プッシュプル回路の一つを含み、分離回路における分離部品はトランスフォーマーである。
【００３５】
トランスフォーマーを例にして説明すると、各部件の接続関係は、第三入力電源の陰極が接地し、陽極がトランスフォーマーの一次側の一端に接続され、一次側のもう一端が第五スイッチの一端に接続され、第五スイッチのもう一端が第三入力電源の陰極に接続され、トランスフォーマーの二次側の一端が電流源装置３２の出力端であって、もう一端は接地されている。
【００３６】
前記電圧源３４２は、第六スイッチとコンデンサを含み、その中、第六スイッチの一端が電流源装置３２に接続され、もう一端が電圧源の出力端であって、コンデンサの一端に接続され、コンデンサのもう一端が接地する。この電圧源３４２は構造が簡単であり、それゆえ電源のコストを節約する。
【００３７】
好ましくは、前記電圧選択装置３６は、それぞれ電圧源装置における複数の電圧源に接続された複数のスイッチを含む。
【００３８】
好ましくは、前記スイッチは、トランジスタ、ＭＯＳチューブ、ダイオード、ＪＦＥＴチューブの一つを含むが、それに限定されない。具体的に、スイッチは、トランジスタ、ＭＯＳチューブ、ダイオード又は上記の三つの部品の組み合わせより構成されることができ、トランジスタ、ＭＯＳチューブなどの単方向遮断スイッチ部品より電圧源ショートが引き起こされる問題を回避するために、スイッチは、ＪＦＥＴなどの双方向遮断特性を備えるスイッチ部品より構成されてもよい。もちろん、前記スイッチ以外に、その他のスイッチ種類も本発明に適用可能である。
【００３９】
前記電源は、高速電圧調整機能を備えて、無線周波数パワーアンプの給電装置に応用されることができる。
本発明の技術的なスキームと実現方法をより明確にするために、以下に好ましい実施形態を参照して前記電源のいくつかの具体的な実現方式を詳細に説明する。
【００４０】
好ましい実施形態１
図４は本発明の好ましい実施形態１に係る電源の構造模式図であって、図４に示すように、この好ましい実施形態において、電流源装置４０２は、図３における電流源装置３２の可能な具体実現回路であって、入力電源４０２１、第一スイッチ４０２２、第二スイッチ４０２３とインダクタ４０２４を含む。その中、第一スイッチ４０２２がオンになり、第二スイッチ４０２３がオフになる場合、入力電源４０２１は、インダクタ４０２４を充電し、インダクタ電流が増加し、第一スイッチ４０２２がオフになり、第二スイッチ４０２３がオンになる場合、インダクタ電流が減少する。
【００４１】
電圧源４０４は、図３における電圧源装置３４における電圧源３４２の可能な実現方式であって、第三スイッチ４０４２とコンデンサ４０４４を含む。第三スイッチ４０４２がオンになる場合、インダクタ電流は、コンデンサ４０４４を充電して、電圧源４０４の出力電圧Ｖ１の安定を維持する。それに応じて、その他の電圧源は、インダクタ電流によりそれぞれの出力電圧Ｖ２〜ＶＮの安定を維持する。
【００４２】
電圧選択回路４０６は、図３における電圧選択装置３６の可能な実現回路であって、第四スイッチ４０６２がオンになる場合、入力電圧Ｖ１を出力電圧Ｖｏｕｔにストローブして、それに応じて、あるスイッチがオンになると、それに対応する電圧源の出力電圧（Ｖ１〜ＶＮ）を電源全体の出力電圧Ｖｏｕｔにする。
【００４３】
さらに理解を容易にするため、図５に示すように、この好ましい実施形態に対応する一例の波形であって、５０１が高速電圧調整電源の出力電圧であって、５０２が負荷電流であって（例えば、レジスタンス負荷を例にする）、５０３が電流源装置４０２の出力電流である。
【００４４】
図６は本発明の好ましい実施形態１に係る図４に対応する分離機能を備える電源の構造模式図であって、分離機能は、即ち、出力電圧と入力電源の参考接地が異なっていてもよい。図６に示すように、電流源装置４０２は、図３における電流源装置３２の分離機能付きの可能な具体実現回路であって、その入力出力の分離機能がトランスフォーマー４０２５により実現される。第五スイッチ４０２６がオンになると、入力電源４０２１の電圧がトランスフォーマー４０２５により二次側に誘導されて、第一スイッチ４０２２のオンによりインダクタ４０２４を充電し、第五スイッチ４０２６がオフになると、インダクタ電流が第二スイッチ４０２３により補填される。具体的に、この好ましい実施形態における分離機能がその他の拡張回路、例えば2-トランジスタフォワード回路、フライバック回路、ブリッジ回路、プッシュプル回路などの分離電源分野の共通なトポロジーより実現してもいい。
【００４５】
好ましい実施形態２
図７は本発明の好ましい実施形態２に係る電源の構造模式図であって、図７に示すように、電流源装置７０２は、図３における電流源装置３２のもう一つの可能な具体実現回路であって、第一スイッチ７０２３がオンになる場合、入力電源７０２１がインダクタ７０２２を充電し、インダクタ電流が増加し、第一スイッチ７０２３がオフになる場合、インダクタ電流が次の電圧源を充電する。そのほかの部分は、図４に示す構造と一致しており、ここでは詳細な記載は不要である。
【００４６】
図８は本発明の好ましい実施形態２に係る図７に対応する分離機能を備える電源の構造模式図であり、図８において、電流源装置７０２は、図３における電流源装置３２のもう一種類の分離機能付きの可能な具体実施回路であって、その入力出力分離機能はトランスフォーマー７０２４より実現される。第二スイッチ７０２５がオンになると、入力電源７０２１がトランスフォーマー７０２４の一次側磁化インダクタを充電し、第二スイッチ７０２５がオフになると、一次側磁化インダクタ電流がトランスフォーマー７０２４より二次側にフライバックされ、電流源装置７０２の出力電流を形成して、次の電圧源を充電する。
【００４７】
本発明に係る実施形態は電源電圧調整方法も提供し、上記のいずれかの電源に基づいて実現されることができる。図９は本発明の実施形態に係る電源及び電源電圧調整方法のフローチャートであって、図９に示すように、以下のステップＳ９０２〜ステップＳ９０６を含む。
【００４８】
ステップＳ９０２、電流源装置は、電圧源装置へ電流信号を入力する。
ステップＳ９０４、電圧源装置における複数の電圧源は、それぞれに電流信号を電圧信号に変換する。
ステップＳ９０６、電圧選択装置は、複数の電圧信号から一つの電圧信号を出力電圧信号として選択する。
ステップＳ９０６は、電圧選択装置が異なるスイッチをオンにすることにより、異なる電圧幅値を得て、出力電圧信号とすることを含む。
【００４９】
好ましくは、電圧選択装置が異なるスイッチをオンにすることにより、異なる電圧幅値を得ることは、電圧選択装置におけるオンになるスイッチに接続された電圧源でのイッチをオンにし、電圧源におけるコンデンサと電流源装置が直流安定化電源を構成し（例えば、Ｂｕｃｋ構造の直流電源又はその他の完全な構造の直流安定化電源を構成してよい）、電圧源の出力の負荷を付ける場合の安定化電圧を維持することを含む。
【００５０】
好ましくは、電流源装置が電圧源装置へ電流信号を入力することは、電流源装置における入力電源を制御してインダクタを充電し、電圧源におけるスイッチがオンになるときに、インダクタの電流が電圧源におけるコンデンサを充電することを含む。
【００５１】
現在遮断状態にあるブランチに対しては（電圧源およびそれに接続される電圧選択装置におけるスイッチを含む）、負荷をかけないので、電圧源の出力電圧は電圧源におけるコンデンサより維持されることができる。
【００５２】
上記の実施形態においては、電圧選択の方式を用いて電圧調整を実現しており、効率が高く、且つ一つの独立した入力電源を用いて同時に動作して、構造が簡単であって、体積とコストを削減させ、その他の電源の空転動作がなくて、効率がより高く、電圧調整応答速度がより速い。
【００５３】
上記のように、本発明の上記実施形態に従って、電源及び電源電圧調整方法が提供される。本発明により、一つの電流源装置を利用してそれぞれ電圧源装置における複数の電圧源へ給電して、各電圧源の出力電圧（Ｖ１〜ＶＮ）の安定を維持し、電圧選択装置が実際の電圧調整需要に従ってその中の一つの電圧源の出力を最終的な出力電圧（Ｖｏｕｔ）として選択して、多入力電源の構造を大幅に簡略化でき、電源体積を削減させ、コストを低減させ、効率を向上させる。
【００５４】
明らかに、本分野の当業者は、上記の本発明の実施形態の各モジュール又は各ステップが汎用コンピュータより実現されることができ、それらが単一の計算装置に統合されてよく、または複数の計算装置から構成されたネットワークに分布されてよく、または、それらが計算装置実行可能なプログラムコードより実現されることができ、これにより、それらを記憶装置に記憶して計算装置より実行することができ、又はそれらをそれぞれ各集積回路モジュールに制作することができ、又はそれらにおける複数のモジュール又はステップを単一の集積回路モジュールに制作して実現することができると理解すべきである。このようにすることで、本発明の実施形態は、いずれもの特定のハードウェアとソフトウェアの組み合わせに制限されない。
【００５５】
以上は本発明の好ましい実施形態に過ぎなく、本発明を制限することに用いられなく、本分野の従業者に対して、本発明は、各種類の変更と変化があり得る。本発明の精神と原則以内で行われる修正、同等入れ替え、改良などがいずれも本発明の請求範囲に含まれる。
【図１】
0006434913.tif 000002
【図２】
0006434913.tif 000003
【図３】
0006434913.tif 000004
【図４】
0006434913.tif 000005
【図５】
0006434913.tif 000006
【図６】
0006434913.tif 000007
【図７】
0006434913.tif 000008
【図８】
0006434913.tif 000009
【図９】
0006434913.tif 000010